(57)【要約】【課題】簡単な構造で、低コストであるにもかかわらず、装着状態を安定に維持することができることによって装着感が良好で、使用態様に対応してバックハンガー位置を変えることが可能なバックハンガー型ヘッドホンを得る。【解決手段】左右一対の支持体１と、各支持体によって支持されていてそれぞれ左右の耳に外側から当てることができる一対の耳当て部２と、使用時に使用者の後頭部ないしは首の後部に位置させることができる左右一対の支持体１を連結するバックハンガー３と、を具備し、一対の耳当て部２のそれぞれには、使用者の耳の上端に掛かることができる突起４が使用者の耳との対向面側に形成されている。各耳当て部２は、支持体１に対してジョイントを介して相対回転可能に連結するとよい。【選択図】図１
2007208882.tif 000002
【特許請求の範囲】
【請求項１】
左右で対をなす支持体と、各支持体によって支持されていてそれぞれ左右の耳に外側から当てることができる一対の耳当て部と、使用時に使用者の後頭部ないしは首の後部に位置させることができる左右一対の支持体を連結するバックハンガーと、を具備し、
上記一対の耳当て部のそれぞれには、使用者の耳の上端に掛かることができる突起が使用者の耳との対向面側に形成されていることを特徴とするバックハンガー型ヘッドホン。
【請求項２】
各耳当て部は、支持体に対してジョイントを介して相対回転可能に連結されている請求項１記載のバックハンガー型ヘッドホン。
【請求項３】
各耳当て部の支持体に対する回転方向は、左右のジョイントの中心を結ぶ線を中心とする回転方向である請求項２記載のバックハンガー型ヘッドホン。
【請求項４】
各耳当て部の支持体に対する回転方向は、支持体に対して耳当て部が傾く方向である請求項２記載のバックハンガー型ヘッドホン。
【請求項５】
ジョイントはボールジョイントである請求項２，３および４記載のバックハンガー型ヘッドホン。
【請求項６】
左右一対の支持体はバックハンガーによって一体に結合され、各支持体に対して各耳当て部が相対回転可能に連結されている請求項２記載のバックハンガー型ヘッドホン。
【請求項７】
左右一対の耳当て部にそれぞれ音響変換ユニットが組み込まれている請求項１記載のバックハンガー型ヘッドホン。
【請求項８】
支持体と耳当て部の相対向する壁に設けられた孔に、音響変換ユニットに至る電線が通されている請求項７記載のバックハンガー型ヘッドホン。
【発明の詳細な説明】
【技術分野】
【０００１】
本発明は、より安定した装着感を得ることができるバックハンガー型ヘッドホンに関するものである。
【背景技術】
【０００２】
左右一対のヘッドホン本体にそれぞれ音響変換ユニットを組み込み、上記左右一対のヘッドホン本体をバックハンガーで連結し、使用に当たって左右一対のヘッドホン本体を使用者の左右の耳に押し当てたとき、バックハンガーが使用者の後頭部ないしは首の後部に位置するように設計されたバックハンガー型ヘッドホンがある。図７、図８はその概要を示すもので、符号３１は音響変換ユニットが組み込まれたヘッドホン本体、３２が耳当て部、３３は左右一対のヘッドホン本体を連結するバックハンガーを示している。
【０００３】
図７、図８に示すように、バックハンガー型ヘッドホンは、左右一対のヘッドホン本体３１をバックハンガー３３で連結することにより、バックハンガー３３の弾性力で左右一対のヘッドホン本体３１を使用者の耳に押し当てることができ、バックハンガー３３を使用者の後頭部（図７参照）ヘッドホン本体は首の後部（図８参照）に当てることができる。そのため、左右が独立していて個別のハンガーによって左右それぞれの耳に掛けるようにしたオープンエア型のヘッドホンに比べて、安定した装着感を得ることができるように思われる。
【０００４】
しかし、バックハンガー型ヘッドホンは耳に当たる部分が使用者の耳に対して固定されておらず、バックハンガーが使用者の後頭部ないしは首の後部に当たっているとはいえ、重力に対しバックハンガーを支点として左右一対のヘッドホン本体に回転モーメントが働き、ヘッドホン本体がずれやすく、不安定で装着感がよくない。また、バックハンガー型ヘッドホンを装着して例えばリクライニングシートに座り、リラックスするために後頭部をヘッドレストに載せようとすると、ヘッドレストにバックハンガーが当たって左右一対のヘッドホン本体がずれる。さらに、バックハンガー型ヘッドホンを装着した状態で上を向くと、首や衣服の襟にバックハンガーが当たり、違和感がある。
【０００５】
このようなヘッドホンの問題点を解消することができる従来の技術として、本出願人は、ドライバーユニットを内蔵し、音声信号を音波に変換して伝達するヘッドホンにおいて、耳に当たるバッフルのカバーに、耳甲介腔に挿入可能な突起部を設けることを提案した（特許文献１参照）。特許文献１記載の技術はバックハンガー型ヘッドホンにも適用することができる。特許文献１記載のヘッドホンによれば、上記突起部を耳甲介腔に挿入することによってヘッドホンが位置決めされ、ヘッドホンのずれが防止される利点がある。
【０００６】
【特許文献１】実開平５−２０４９３号公報
【発明の開示】
【発明が解決しようとする課題】
【０００７】
特許文献１記載のヘッドホンは、耳甲介腔に挿入可能な突起部を、使用者の耳甲介腔に嵌って位置決めすることができるだけの大きさと突出量で形成する必要があり、かなり大きな突起部になる。加えて、ヘッドホン本体２の使用者の耳と対向する面の、耳甲介腔と対向する位置に上記突起部を形成する必要があるため、上記突起部がスピーカからの音声を遮蔽することのないように、上記突起部に音声を通す孔を形成する必要があり、構造が複雑になる難点がある。
また、従来のバックハンガー型ヘッドホンのバックハンガーは、左右一対のヘッドホン本体とバックハンガーが一体に結合されているため、ヘッドホンを使用中に、左右一対のヘッドホン本体を動かすことなく、バックハンガーのみの位置を変えることはできず、前述のように、後頭部をヘッドレストに載せた状態で使用する場合、あるいは顔を上げた場合など、使用状態に応じて適切なバックハンガーの位置ないしは姿勢をとることができず、装着感がよくないといった難点があった。
【０００８】
本発明は、以上のような従来のバックハンガー型ヘッドホンの問題点に鑑みて、簡単な構造で、低コストであるにもかかわらず、装着状態を安定に維持することができることによって装着感が良好で、使用態様に対応してバックハンガー位置を変えることを可能にすることにより、より良好な装着感を得ることができるバックハンガー型ヘッドホンを提供することを目的とする。
【課題を解決するための手段】
【０００９】
本発明は、左右で対をなす支持体と、各支持体によって支持されていてそれぞれ左右の耳に外側から当てることができる一対の耳当て部と、使用時に使用者の後頭部ないしは首の後部に位置させることができる左右一対の支持体を連結するバックハンガーと、を具備し、上記一対の耳当て部のそれぞれには、使用者の耳の上端に掛かることができる突起が使用者の耳との対向面側に形成されていることを最も主要な特徴とする。
各耳当て部は、支持体に対してジョイントを介して相対回転可能に連結するとよい。
各耳当て部の支持体に対する回転方向は、左右のジョイントの中心を結ぶ線を中心とする回転方向でもよく、支持体に対して耳当て部が傾く方向であってもよい。
【発明の効果】
【００１０】
ヘッドホンの使用態様において、一対の耳当て部のそれぞれに形成されている突起が使用者の耳の上端に当たるため、ヘッドホンが重力によって落下することが阻止され、装着状態が安定に保持されて良好な装着感を得ることができる。上記の突起は耳当て部の上端部に形成することができるので、音響変換ユニットで変換された音声を耳に伝達することの邪魔にならず、また、小さな突起でも落下防止効果を得ることができる利点がある。
各耳当て部を支持体に対して回転可能にすることにより、どのような形の耳に対しても耳当て部をフィットさせることができる。また、使用者の姿勢に対応してバックハンガーの位置を最適位置に回転移動させることができる。
【発明を実施するための最良の形態】
【００１１】
以下、本発明にかかるバックハンガー型ヘッドホンの実施例について図面を参照しながら説明する。
【実施例１】
【００１２】
図１ないし図３は本発明にかかるバックハンガー型ヘッドホンの第１実施例を示す。図１ないし図３において、バックハンガー型ヘッドホンは、左右で対をなす支持体１と、各支持体１によって支持されていてそれぞれ使用者の左右の耳７に外側から当てることができる一対の耳当て部２と、使用時に使用者の後頭部ないしは首の上側後部に位置し左右一対の支持体１を連結するバックハンガー３と、を具備してなる。左右の耳当て部２にはそれぞれ音声信号を音波に変換する音響変換ユニットが組み込まれている。音響変換ユニットは、ドライバーユニット、あるいはスピーカユニットなどと言う場合もある。音響変換ユニットで変換される音声は、耳当て部２の、使用者の耳との対向面側から発せられるようになっている。左右の耳当て部２の、使用者の耳７との対向面の大きさは、耳７を側面から見たときの大きさよりも多少多きい程度の大きさになっている。上記バックハンガー３は、左右一対の耳当て部２を使用者の左右の耳に当てたとき、使用者の後頭部ないしは首の後ろ側の上部に位置するように湾曲しており、また、左右一対の耳当て部２を使用者の左右の耳に適宜の押圧力で押し当てることができるように、適宜の弾性力を持っている。
【００１３】
左右一対の耳当て部２の、使用者の耳７との対向面側には、それぞれ使用者の耳７の上端に掛かることができる突起４が形成されている。図示の例では、突起４は比較的小さな突起であって、これでも、後で説明するように所期の目的を達成することができるが、例えば、耳７の上端に沿って延びたある程度の長さを持った突起であってもよい。各支持体１と耳当て部２との関係は、一体的に結合された関係でもよいし、相対回転可能に連結された関係でもよい。相対回転可能に連結する場合、回転部にはある程度の摩擦力を持たせ、各支持体１に対してバックハンガー３が重力によって回転しないように、したがって、使用者が回転させない限り相対回転位置を維持するように調整されているものとする。相対回転可能に連結するための具体的な構成に関しては実施例２として後で説明する。左右一対の支持体１とバックハンガー３は一体に結合されているものとする。バックハンガー３は弾性力を有していて、使用者がヘッドホンを装着した状態で、左右一対の耳当て部２が適度の押圧力で耳に押し当てられるようになっている。
【００１４】
以上説明した実施例１にかかるバックハンガー型ヘッドホンによれば、一対の耳当て部２のそれぞれに形成されている突起４が使用者の耳７の上端に当たるため、ヘッドホンが重力によって落下することが阻止され、装着状態が安定に保持されて良好な装着感を得ることができる。上記突起４は耳当て部２の上端部に形成することができるので、使用者の耳への音声の伝達の邪魔にならず、また、小さな突起４でも落下防止効果を得ることができる利点がある。よって、簡単な構成で低コストでありながら、装着感の向上を図ることができる。
【実施例２】
【００１５】
次に、本発明にかかるバックハンガー型ヘッドホンの第２実施例について、図４、図５は参照しながら説明する。この実施例も第１実施例と同様に、左右で対をなす支持体１と、各支持体１によって支持されていてそれぞれ使用者の左右の耳７に外側から当てることができる一対の耳当て部２と、使用時に使用者の後頭部ないしは首の上側後部に位置し左右一対の支持体１を連結するバックハンガー３と、を具備し、左右一対の耳当て部２の、使用者の耳７との対向面側には、それぞれ使用者の耳７の上端に掛かることができる突起４が形成されている。
【００１６】
第２実施例が第１実施例と異なるのは、各耳当て部２が、それぞれに対応する支持体１に対してジョイント５を介して相対回転可能に連結されている点である。図示の実施例では、支持体１および耳当て部２を側面側から見たとき、支持体１と耳当て部２が同心円をなすように重なっていて、それぞれの円の中心位置にジョイント５が位置している。ジョイント５は、支持体１の一側面中心部から突出させて形成された円筒形状の軸受部５１と、耳当て部２のジョイント５との対向面中心部から突出させて形成され上記軸受部５１に嵌められている球体５２とによって、ボールジョイントが構成されている。ジョイント５はボールジョイントであるため、各耳当て部２は、支持体１に対して、左右の支持体１と耳当て部２との間に存在するジョイント５の中心を結ぶ線を中心としてその回りに回転することができる。また、ボールジョイントからなるジョイント５は、球体５２の外表面に沿って軸受部５１の内周面が相対移動することができるので、各耳当て部２は、支持体１に対して任意の向きに傾くことができる。以上、要するに、各耳当て部２は、支持体１に対してジョイント５を介して相対回転可能に連結されていて、この各耳当て部２の回転方向は、左右のジョイント５の中心を結ぶ線を中心とする回転方向であり、また、支持体１に対して耳当て部２が傾く方向である。
【００１７】
上記各耳当て部２には、スピーカユニットないしはドライバーユニットとしての音響変換ユニット８が組み込まれている。各耳当て部２には、音響変換ユニット８による音声の放射面側に、音声を使用者の耳に伝達するために適宜数の孔が形成され、さらに、音声の放射面側はイヤーパッド９で覆われている。図示の例では、イヤーパッド９に形成された孔から前記突起４が突出しているが、突起４をイヤーパッド９が覆い、突起４との対向位置でイヤーパッド９が突出していてもよい。音響変換ユニット８には音声信号を入力するための配線１０を接続する必要がある。配線１０は支持体１から耳当て部２内の音響変換ユニット８に向かって引き回す必要があり、加えて、上記のように支持体１と耳当て部２との相対回転を許容するように引き回す必要がある。図示の例では、支持体１と耳当て部２の互いに対向する壁の、ジョイント５の近くに孔を形成し、これらの孔に配線１０を引き回し、支持体１と耳当て部２の相対回転を許容するように、配線１０にたるみを持たせて、また、上記孔を大きさに余裕を持たせて形成している。
【００１８】
前記バックハンガー３の両端部は、左右一対の支持体１に一体的に連結されている。左右一対の耳当て部２を使用者の左右の耳に当て、バックハンガー３の弾性力により適宜の押圧力で各耳当て部２を耳に押し付けて使用する。使用状態でのバックハンガー３の位置は、図６（ａ）に示すように使用者の後頭部に位置していてもよいし、図６（ｂ）に示すように使用者の首の後ろ側上部に位置していてもよい。図６（ａ）（ｂ）のいずれの使用態様でも、これらの使用態様の中間位置にバックハンガー３が位置する使用態様でも差支えがなく、使用者の好みで設定すればよい。いずれにせよ、左右一対の耳当て部２を使用者の左右の耳に当てた状態で、各耳当て部２の位置は不動のまま、ジョイント５の機能によってバックハンガー３および支持体１を回転させてこれらの位置を調節することができる。バックハンガー３および支持体１の回転位置を一旦調節した後、バックハンガー３に作用する回転モーメントによってバックハンガー３および支持体１が回転してしまっては使い勝手が悪いので、各ジョイント５の摩擦力、具体的には軸受部５１と球体５２の摩擦力を調整することによって、バックハンガー３および支持体１の回転位置を保持できるようにする。
【００１９】
以上説明した第２実施例によれば、ジョイント５を介して各耳当て部２が、支持体１に対して回転可能となっており、この回転方向は左右のジョイント５の中心を結ぶ線を中心とする回転方向であるため、使用者は、使用状態においてバックハンガー３の回転位置を任意に設定することができる。例えば、リクライニングシートに座り、ヘッドレストに後頭部を載せて使用する場合は、バックハンガー３がヘッドレストに当たらないように、バックハンガー３を首の後ろ側上部に位置するように回転させて使用すればよい（図６（ａ）参照）。また、通常の起立した姿勢あるいは着座姿勢で使用する場合、頭を上下方向に動かすことがあり、そのときバックハンガー３が首に当たり、あるいは衣服の襟に当たったりすると、首の自由度が制限されて不愉快な思いをするので、バックハンガー３が後頭部に位置するように回転させて使用すればよい（図６（ｂ）参照）。ジョイント５はまた、支持体１に対して耳当て部２を傾かせることもできるため、使用者の耳の形状にフィットするように耳当て部２の傾き角度を調整することができる利点もある。
【００２０】
第２実施例によればまた、一対の耳当て部２のそれぞれには、使用者の耳の上端に掛かることができる突起４が使用者の耳との対向面側に形成されていて、突起４が使用者の耳７の上端に当たるため、ヘッドホンが重力によって落下することが阻止され、装着状態が安定に保持されて良好な装着感を得ることができる。その他、第１実施例と同様の効果を得ることができる。
【図面の簡単な説明】
【００２１】
【図１】本発明にかかるバックハンガー型ヘッドホンの実施例を示す斜視図である。
【図２】上記実施例の使用例を左右の一方側のみで示す正面図である。
【図３】上記実施例を左右の一方側のみで示す正面図である。
【図４】本発明にかかるバックハンガー型ヘッドホンの別の実施例を左右の一方側のみで示す正面図である。
【図５】上記実施例の要部を左右の一方側のみで示す断面図である。
【図６】本発明にかかるバックハンガー型ヘッドホンの使用例を示す側面図である。
【図７】従来のバックハンガー型ヘッドホンの例およびその使用例を示す斜視図である。
【図８】上記従来のバックハンガー型ヘッドホンの別の使用例を示す側面図である。
【符号の説明】
【００２２】
１    支持体
２    耳当て部
３    バックハンガー
４    突起
５    ジョイント
８    音響変換ユニット
９    イヤーパッド
１０    配線
【図１】
2007208882.tif 000003
【図２】
2007208882.tif 000004
【図３】
2007208882.tif 000005
【図４】
2007208882.tif 000006
【図５】
2007208882.tif 000007
【図６】
2007208882.tif 000008
【図７】
2007208882.tif 000009
【図８】
2007208882.tif 000010